(57)【要約】【課題】スペース効率が良く、小型化が可能な電気接続箱を提供する。【解決手段】電気接続箱１は、フレーム２と、アッパカバー３と、ロアカバー４と、フレーム２内に取り付けられる複数のブロック５，６，７と、これらブロック５，６，７に取り付けられる複数の部品と、を有している。ブロック６はフレーム２内の上方に配置されている。ブロック５は、その一部がブロック６の下方に当該ブロック６と重なって配置されている。ブロック５に取り付けられたリレー８に接続された電線９ａは、ブロック５から水平に引き出されている。ブロック６に取り付けられたヒューズに接続された電線９ｂは、ブロック６から下方に引き出されている。ブロック５は、ブロック６から引き出された電線９ｂをよけて配置されている。【選択図】図１
2015053797.tif 000002
【特許請求の範囲】
【請求項１】
フレームと、部品を取り付けかつ前記フレーム内に取り付けられる複数のブロックと、を有する電気接続箱において、
一のブロックが前記フレーム内の上方に配置され、他のブロックの少なくとも一部が前記一のブロックの下方に当該一のブロックと重なって配置され、
前記他のブロックに取り付けられた部品に電線が接続されており、該電線が前記他のブロックから水平に引き出されている
ことを特徴とする電気接続箱。
【請求項２】
前記一のブロックと前記他のブロックは、合体された状態で前記フレーム内に取り付けられ、かつ、合体されることで当該ブロックに取り付けられた部品同士が電気接続される
ことを特徴とする請求項１に記載の電気接続箱。
【請求項３】
前記一のブロックと前記他のブロックが水平方向に合体される
ことを特徴とする請求項２に記載の電気接続箱。
【請求項４】
前記一のブロックに取り付けられた部品に電線が接続されており、該電線が前記一のブロックから下方に引き出され、
前記一のブロックから引き出された前記電線をよけて前記他のブロックが配置されている
ことを特徴とする請求項１ないし請求項３のいずれか１項に記載の電気接続箱。
【発明の詳細な説明】
【技術分野】
【０００１】
本発明は、自動車に搭載されて、主に電源分配を行う電気接続箱に関するものである。
【背景技術】
【０００２】
自動車に搭載される電気接続箱には様々な構造のものがあるが、例えば、図１５に示す構造のものがある。同図に示す電気接続箱３０１は、フレーム３０２と、フレーム３０２の上面３０２ａを覆うアッパカバー３０３と、フレーム３０２の下面３０２ｂを覆うロアカバー３０４と、フレーム３０２内に取り付けられる複数のブロック３０６，３０７と、を有している。
【０００３】
上記複数のブロック３０６，３０７には、リレー、ヒューズ、バスバ３１３ａ，３１３ｃ等の部品が取り付けられる。これら部品には、電線３０９ａ，３０９ｂ，３０９ｃが接続されている。電線３０９ａ，３０９ｂ，３０９ｃは、各ブロック３０６，３０７の下面からロアカバー３０４側に向かって引き出されている。
【０００４】
上述した電気接続箱３０１と同様の構成の電気接続箱が特許文献１に開示されている。特許文献１の電気接続箱（１）は、上記フレーム３０２に相当する箱本体（２）と、
アッパカバー（６）と、ロアカバー（５）と、箱本体（２）内に取り付けられる複数のブロック（３）と、を有している。
【先行技術文献】
【特許文献】
【０００５】
【特許文献１】特開２００７−０６８２７４号公報
【発明の概要】
【発明が解決しようとする課題】
【０００６】
上述した電気接続箱３０１においては、ブロック３０６の下方のスペースＳが、電線３０９ａ，３０９ｂを配索するためだけのスペースになっており、空隙が多く、スペース効率が悪いという問題があった。
【０００７】
なお、ブロック３０６の下方のスペースＳに他のブロックを配置することは不可能ではないが、単純に他のブロックを配置する場合、ブロック３０６の高さ寸法、電線３０９ａ，３０９ｂ配索スペース、他のブロックの高さ寸法、及び、他のブロックから引き出された電線の配索スペースが必要となり、フレーム３０２内に収まりきらない、又は、フレーム３０２の高さ寸法を大きくしなければならないという問題が生じる。
【０００８】
したがって、本発明は、スペース効率が良く、小型化が可能な電気接続箱を提供することを目的とする。
【課題を解決するための手段】
【０００９】
請求項１に記載された発明は、フレームと、部品を取り付けかつ前記フレーム内に取り付けられる複数のブロックと、を有する電気接続箱において、一のブロックが前記フレーム内の上方に配置され、他のブロックの少なくとも一部が前記一のブロックの下方に当該一のブロックと重なって配置され、前記他のブロックに取り付けられた部品に電線が接続されており、該電線が前記他のブロックから水平に引き出されていることを特徴とする電気接続箱である。
【００１０】
請求項２に記載された発明は、請求項１に記載された発明において、前記一のブロックと前記他のブロックは、合体された状態で前記フレーム内に取り付けられ、かつ、合体されることで当該ブロックに取り付けられた部品同士が電気接続されることを特徴とするものである。
【００１１】
請求項３に記載された発明は、請求項２に記載された発明において、前記一のブロックと前記他のブロックが水平方向に合体されることを特徴とするものである。
【００１２】
請求項４に記載された発明は、請求項１ないし請求項３のいずれか１項に記載された発明において、前記一のブロックに取り付けられた部品に電線が接続されており、該電線が前記一のブロックから下方に引き出され、前記一のブロックから引き出された前記電線をよけて前記他のブロックが配置されていることを特徴とするものである。
【発明の効果】
【００１３】
請求項１に記載された発明によれば、一のブロックが前記フレーム内の上方に配置され、他のブロックの少なくとも一部が前記一のブロックの下方に当該一のブロックと重なって配置されているので、一のブロックの下方のスペースを有効活用できる。さらに、前記他のブロックに取り付けられた部品に電線が接続されており、該電線が前記他のブロックから水平に引き出されているので、他のブロックの下方には電線の配索スペースを必要としない。よって、フレームの高さ寸法を大型化することなく、一のブロックの下方のスペースを他のブロックの設置スペースとして有効活用できる。したがって、スペース効率が良く、小型化が可能な電気接続箱を提供することができる。
【００１４】
請求項２，３に記載された発明によれば、前記一のブロックと前記他のブロックは、合体された状態で前記フレーム内に取り付けられ、かつ、合体されることで当該ブロックに取り付けられた部品同士が電気接続されるので、当該部品同士を電気接続する電線、及び、該電線の配索スペースが不要となり、さらなる小型化が可能な電気接続箱を提供することができる。
【００１５】
請求項４に記載された発明によれば、前記一のブロックに取り付けられた部品に電線が接続されており、該電線が前記一のブロックから下方に引き出され、前記一のブロックから引き出された前記電線をよけて前記他のブロックが配置されているので、他のブロックを一のブロックに当接または近接させることができ、さらなる小型化が可能な電気接続箱を提供することができる。
【図面の簡単な説明】
【００１６】
【図１】本発明の一実施形態にかかる電気接続箱の断面図である。
【図２】図１に示されたブロック組立体の分解図である。
【図３】図１に示されたブロック組立体の斜視図である。
【図４】図３に示されたブロック組立体の分解図である。
【図５】図３に示されたブロック組立体の平面図である。
【図６】図４に示された一方のブロックの底面を示す斜視図である。
【図７】図４に示された他方のブロックの一側面を示す側面図である。
【図８】図７に示された他方のブロックの他側面を示す斜視図である。
【図９】図１に示されたリレーの斜視図である。
【図１０】図９に示されたリレーの底面図である。
【図１１】図３に示されたブロック組立体に取り付けられる部品の説明図である。
【図１２】図１１に示された第１のバスバの斜視図である。
【図１３】図１１に示された第２のバスバ及び中継端子の斜視図である。
【図１４】図１１に示された第２のバスバ、中継端子、リレーの接続構造を説明する説明図である。
【図１５】従来の電気接続箱の断面図である。
【発明を実施するための形態】
【００１７】
本発明の一実施形態にかかる「電気接続箱」を図１〜１４を参照して説明する。図１に示す電気接続箱１は、自動車に搭載されて、主に電源分配を行うものである。この電気接続箱１は、フレーム２と、フレーム２の上面２ａを覆うアッパカバー３と、フレーム２の下面２ｂを覆うロアカバー４と、フレーム２内に取り付けられる複数のブロック５，６，７と、これらブロック５，６，７に取り付けられる複数の部品と、を有している。フレーム２、アッパカバー３、ロアカバー４、ブロック５，６，７は、合成樹脂で構成されている。ブロック５，６，７は、それぞれ別体で構成されている。
【００１８】
上記フレーム２は、枠状の周壁２０を有している。周壁２０は、外側壁２１と内側壁２２とから成る二重壁構造となっている。
【００１９】
上記ブロック５には、リレー８と、中継端子１２と、が取り付けられる。中継端子１２は、リレー８の一方の端子部８１に電気接続される。また、リレー８の他方の端子部８１には、電線９ａの端部に接続された端子１１が電気接続される。前記電線９ａは、フレーム２の内側に向かってブロック５から水平に引き出されている。この電線９ａは、図１に示すように、ブロック５内の部分及びブロック５近傍の部分が水平であれば良く、ブロック５から離れた部分が下方に垂れ下がっていても良い。
【００２０】
上記ブロック６には、複数のヒューズ（不図示）と、複数のバスバ１３ａ，１３ｂと、が取り付けられる。前記ヒューズの一方の端子部には、バスバ１３ａが電気接続され、他方の端子部には電線９ｂ又はバスバ１３ｂが電気接続される。なお、電線９ｂ端部には端子が取り付けられているが、図示は省略する。前記電線９ｂは、ブロック６の下面からロアカバー４側に向かって引き出されている。これらバスバ１３ａ，１３ｂについては後述する。
【００２１】
上記ブロック７には、複数のヒューズ（不図示）と、バスバ１３ｃと、が取り付けられる。前記ヒューズの一方の端子部にはバスバ１３ｃが電気接続され、他方の端子部には電線９ｃが電気接続される。なお、電線９ｃの端部には端子が取り付けられているが、図示は省略する。前記電線９ｃは、ブロック７の下面からロアカバー４側に向かって引き出されている。
【００２２】
上記ブロック５，６は、フレーム２の周壁２０に沿って高さ方向に並べられて配置される。また、ブロック６が上面２ａ側に配置され、ブロック５が下面２ｂ側に配置される。上記ブロック７は、ブロック５，６よりもフレーム２の内側に配置される。さらに、ブロック５とブロック６とは、図２に示すように合体されてブロック組立体１０を構成する。以下、ブロック組立体１０の詳細な構成を説明する。
【００２３】
上記ブロック組立体１０を構成するブロック６には、図２〜６に示すように、電源接続部６３（図６）と、複数のヒューズ収容部６０ａ，６０ｂと、バスバ１３ａ，１３ｂが収容されるバスバ収容溝６１と、電線９ｂ（図１，２）の端部に接続された端子が収容される複数の端子収容部６２と、フレーム２に係合するロック６６と、が設けられている。
【００２４】
上記ヒューズ収容部６０ａには、ブロック５側のリレー８と電気接続されないヒューズが収容される。各ヒューズ収容部６０ａの下方には各端子収容部６２が対応して設けられている。
【００２５】
上記ヒューズ収容部６０ｂには、ブロック５側のリレー８と電気接続されるヒューズが収容される。ブロック６にはヒューズ収容部６０ｂが二つ設けられている。また、ブロック６は、ヒューズ収容部６０ｂを含む部分が、ブロック５との結合部分６４とされている。結合部分６４には、ブロック５と係合する係合部６５が設けられている。
【００２６】
上記バスバ１３ａは、図１１，１２に示すように、電源接続部６３に配置されて電源線（不図示）と電気接続される入力部１３１と、ヒューズ収容部６０ａ，６０ｂに収容されるヒューズの端子部が差し込まれる複数のヒューズ接続部１３０と、係止孔１３２と、を有している。このバスバ１３ａは、電源接続部６３に引き込まれる電源線とヒューズ収容部６０ａ，６０ｂに収容される各ヒューズとを電気接続するためのバスバである。以下、バスバ１３ａを第１のバスバ１３ａと呼ぶ。
【００２７】
上記バスバ１３ｂは、図１１，１３，１４に示すように、ヒューズ収容部６０ｂに収容されるヒューズの端子部が差し込まれるヒューズ接続部１３０と、中継端子１２を介してブロック５側のリレー８と電気接続されるリレー接続部１３３と、係止孔１３２と、を有している。このバスバ１３ｂは、ヒューズ収容部６０ｂに収容されるヒューズとブロック５側のリレー８とを電気接続するためのバスバである。以下、バスバ１３ｂを第２のバスバ１３ｂと呼ぶ。また、第２のバスバ１３ｂは２つ設けられている。
【００２８】
上記ブロック組立体１０を構成するブロック５には、図２〜４，７，８に示すように、ブロック６の結合部分６４と結合される結合部分５４と、二つのリレー収容部５０と、が設けられている。
【００２９】
上記結合部分５４は、ブロック６の結合部分６４を内側に位置付けることが可能な箱状に形成されている。また、結合部分５４の外壁には、ヒューズ収容部６０ｂを露出させるための切り欠き５４ａが形成されている。結合部分５４の内側には、図７，８に示すように、ブロック６の係合部６５と係合する係合部５５が設けられている。
【００３０】
上記リレー収容部５０は、図９〜１１に示すリレー８を収容する部分である。リレー８は、外形が直方体状のリレー本体８０と、リレー本体８０から突出した複数の端子部８１と、複数の端子部８１を保持しかつリレー本体８０の上面に組み付けられる板状の樹脂部材８２と、を有している。リレー本体８０の一側面には、リレー収容部５０の係止片５３に係止する係止突起８３が設けられている。端子部８１は、基端部がリレー本体８０内部の導体に電気接続されており、中間部が樹脂部材８２の表面においてリレー本体８０の底面側に直角に折り曲げられており、先端部がリレー本体８０の側面と対向している。また、上記端子部８１は、合計四つ設けられており、そのうち三つがリレー本体８０の一方側に配され、残り一つがリレー本体８０の他方側に配されている。
【００３１】
上記リレー収容部５０は、リレー本体８０を収容するリレー本体収容部５１と、三つの端子部収容部５２ａと、一つの端子部収容部５２ｂと、上記係止突起８３が係止する係止片５３等で構成されている。端子部収容部５２ａは、三つ並べられた端子部８１の先端部及び電線９ａ（図１，２）の端部に接続された端子１１を収容する。端子部収容部５２ｂは、他の端子部８１と並んでいない一つの端子部８１の先端部、中継端子１２、第２のバスバ１３ｂのリレー接続部１３３を収容する。
【００３２】
上記中継端子１２は、図１１，１３，１４に示すように、内側に端子部８１及びリレー接続部１３３を位置付ける筒部１２０と、端子部８１及びリレー接続部１３３を付勢するバネ１２１と、を有している。端子部８１は一方側の開口から筒部１２０内に挿入され、リレー接続部１３３は他方側の開口から筒部１２０内に挿入される。また、中継端子１２は、図２に示すように、端子部８１と嵌合した状態で端子部収容部５２ｂ内に収容されており、この状態で、ブロック５とブロック６とが合体される。
【００３３】
このようなブロック５とブロック６とは、図２に示すように、それぞれの部品が取り付けられた状態で水平方向に合体される。ブロック５とブロック６とが合体されることにより、ブロック６側のリレー接続部１３３が中継端子１２の筒部１２０内に挿入され、該中継端子１２を介してリレー接続部１３３と端子部８１とが電気接続される。そして、ブロック５とブロック６とが合体されてブロック組立体１０が形成された後、このブロック組立体１０がフレーム２内に取り付けられる。
【００３４】
上記ブロック組立体１０は、電源接続部６３において電源線と入力部１３１とが電気接続され、第１のバスバ１３ａによって分岐された電源が各ヒューズを通って複数の電線９ａ，９ｂから電気接続箱１外に出力される。また、前記ヒューズと電線９ａの間には、第２のバスバ１３ｂ、中継端子１２、リレー８が介在している。
【００３５】
図１に示すように、ブロック組立体１０がフレーム２内に取り付けられた状態で、ブロック５の一部すなわちリレー収容部５０は、ブロック６の下方に当該ブロック６と重なって配置されている。さらに、リレー８に電気接続された電線９ａは、フレーム２の内側に向かって端子部収容部５２ａから水平に引き出されているので、ブロック５の下方には電線９ａの配索スペースを必要としない。よって、フレーム２の高さ寸法を大型化することなく、ブロック６の下方のスペースをブロック５の設置スペースとして有効活用でき、電気接続箱１を小型化できる。
【００３６】
また、図１に示すように、ブロック５は、ブロック６の端子収容部６２から下方に引き出された電線９ｂに干渉しないように、該電線９ｂをよけて配置されている。すなわち、端子収容部６２の下方にはブロック５が位置していない。このことにより、ブロック５をブロック６の端子収容部６２以外の部分に当接させることができ、電気接続箱１をさらに小型化できる。
【００３７】
また、電気接続箱１においては、ブロック組立体１０を用いているので、ブロック６側のヒューズとブロック５側のリレー８とを電気接続する電線、及び、該電線の配索スペースが不要となり、電気接続箱１をさらに小型化できる。
【００３８】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３９】
１  電気接続箱
２  フレーム
５，６，７  ブロック
９ａ，９ｂ，９ｃ  電線
【図１】
2015053797.tif 000003
【図２】
2015053797.tif 000004
【図３】
2015053797.tif 000005
【図４】
2015053797.tif 000006
【図５】
2015053797.tif 000007
【図６】
2015053797.tif 000008
【図７】
2015053797.tif 000009
【図８】
2015053797.tif 000010
【図９】
2015053797.tif 000011
【図１０】
2015053797.tif 000012
【図１１】
2015053797.tif 000013
【図１２】
2015053797.tif 000014
【図１３】
2015053797.tif 000015
【図１４】
2015053797.tif 000016
【図１５】
2015053797.tif 000017